(57)【特許請求の範囲】
【請求項１】
複数本のエアゾール容器のネック部またはマウンテンカップ部が装着される保持体をこれらエアゾール容器を両側から挾んで着脱固定する開閉可能な構造とする一方、この保持体の内部に前記複数のエアゾール容器のステムが嵌着されるとともに各ステムから中央頂部の混合噴射口に連通する通液路が形成されたステム嵌着部材を設け、このステム嵌着部を介して前記複数本のエアゾール容器の前記ステムを押すとともに、前記ステム嵌着部の前記混合噴射口に連通するバルブ押圧部を備えた噴射レバーを前記保持体に回動可能に設けてなることを特徴とする複数エアゾール容器からの混合噴射装置。
【請求項２】
前記保持体の前記複数本のエアゾール容器が装着される部分のみを開閉可能な構造としたことを特徴とする請求項１記載の複数エアゾール容器からの混合噴射装置。
【請求項３】
前記噴射レバーを使用噴射位置と収納位置との間で回動可能に設けたことを特徴とする請求項１または２記載の複数エアゾール容器からの混合噴射装置。
【請求項４】
前記使用噴射位置に回動された前記噴射レバーを噴射させない状態に固定する固定機構を設けたことを特徴とする請求項３記載の複数エアゾール容器からの混合噴射装置。
【請求項５】
前記ステム嵌着部材に各ステムからの内容物を混合する混合部材を設けたことを特徴とする請求項１〜４のいずれかに記載の複数エアゾール容器からの混合噴射装置。
【請求項６】
前記噴射レバーに混合噴射されるエアゾール製品を使用する使用治具を装着してなることとを特徴とする請求項１〜５のいずれかに記載の複数エアゾール容器からの混合噴射装置。
【請求項７】
前記エアゾール容器を内容物で腐蝕しない２重構造容器としたことを特徴とする請求項１〜６のいずれかに記載の複数エアゾール容器からの混合噴射装置。
【請求項８】
前記エアゾール容器の内容物を２剤型永久染毛剤、２剤型塗料、２剤型接着剤、２剤型ウレタンフォーム剤のいずれかとしたことを特徴とする請求項１〜７のずれかに記載の複数エアゾール容器からの混合噴射装置を備えたエアゾール製品。
【発明の詳細な説明】
【０００１】
【発明の属する技術分野】
この発明は複数エアゾール容器からの混合噴射装置及びこれを備えたエアゾール製品に関し、エアゾール容器のみを簡単に交換して再使用できるようにしたものである。
【０００２】
【従来の技術】
予め混合することができない内容物、例えば２剤型永久染毛剤を構成する酸化剤と還元剤、２剤型フレタンフォームを構成するエポキシ系樹脂と硬化剤等を使用時に簡便に混合噴射して使用できるようにするためそれぞれの内容物をエアゾール容器に入れ、２つのエアゾール容器から同時に噴射させる装置として混合噴射装置が用いられている。
【０００３】
従来から用いられている混合噴射装置には、大きく分けて２つの形式があり、２本のエアゾール容器全体をホールドするものと２本のエアゾール容器のネック部のみをホールドするものがある。
【０００４】
２本のエアゾール容器全体をホールドするものでは、例えば２本のエアゾール容器を並べて収納できる収納容器を備え、この収納容器の上部に連結される容器蓋部に２つのステムに嵌合されてそれぞれの内容液を１つの噴射口に導く噴射口が形成されたアクチュエータを設け、この容器蓋部に取付けた押しボタンなどの操作によって２つのエアゾール容器から同時に噴射させて混合するように構成してある。
【０００５】
また、２本のエアゾール容器のネック部のみをホールドするものでは、２本のエアゾール容器のネック部を嵌合する２つの嵌着孔が形成されたホルダを備え、このホルダ上部に２つのステムに嵌合されてそれぞれの内容液を１つの噴射口に導く噴射口が形成されたアクチュエータを設け、ホルダに取付けた押しボタンなどの操作によって２つのエアゾール容器から同時に噴射させて混合するように構成してある。
【０００６】
【発明が解決しようとする課題】
このような２本のエアゾール容器から同時に噴射させて混合する混合噴射装置のうち、収納容器を設けてエアゾール容器全体を収納するものでは、収納容器からエアゾール容器だけを取り出して交換することで混合噴射装置自体を再使用できるものの、収納容器を必要とするためその分だけコストが高くなってしまうという問題がある。
【０００７】
一方、エアゾール容器のネック部のみを嵌合するホルダだけのものは、全体を収納するものに比べてコスト低減を図ることができるものの、エアゾール容器のネック部をきつく嵌合した状態で使用しないと、アクチュエータの操作によってステム部分から内容物が洩れ出たり２つのエアゾール容器から均等に噴射させることができなくなるなどの恐れがあり、エアゾール容器だけを交換しようとすると、大きな力が必要となったり、新たなエアゾール容器を嵌合装着する場合にその嵌合力によって内容物が噴射されてしまうなど簡単に再使用することができないという問題がある。
【０００８】
この発明はかかる従来技術の有する課題を解決するためになされたもので、エアゾール容器のみを簡単に交換して再使用することができるとともに、製造コストも安い複数エアゾール容器からの混合噴射装置及びこれを備えたエアゾール製品を提供しようとするものである。
【０００９】
【課題を解決するための手段】
上記課題を解決するため、この発明の請求項１記載の複数エアゾール容器からの混合噴射装置は、複数本のエアゾール容器のネック部またはマウンテンカップ部が装着される保持体をこれらエアゾール容器を両側から挾んで着脱固定する開閉可能な構造とする一方、この保持体の内部に前記複数のエアゾール容器のステムが嵌着されるとともに各ステムから中央頂部の混合噴射口に連通する通液路が形成されたステム嵌着部材を設け、このステム嵌着部を介して前記複数本のエアゾール容器の前記ステムを押すとともに、前記ステム嵌着部の前記混合噴射口に連通するバルブ押圧部を備えた噴射レバーを前記保持体に回動可能に設けてなることを特徴とするものである。
【００１０】
この複数エアゾール容器からの混合噴射装置によれば、エアゾール容器のネック部またはマウンテンカップ部が装着される保持体をエアゾール容器を両側から挾むように開閉できる構造としてあり、これにより簡単にエアゾール容器の交換ができ、しかも強固にエアゾール容器を取付けることができるようになる。さらに、回動可能な噴射レバーに一体にバルブ押圧部を形成するようにしており、小さな操作力で噴射レバーの操作ができ、各エアゾール容器から同時かつ均一に噴射して混合することができるようにしている。
【００１１】
また、この発明の請求項２記載の複数エアゾール容器からの混合噴射装置は、請求項１記載の構成に替え、前記保持体の前記複数本のエアゾール容器が装着される部分のみを開閉可能な構造としたことを特徴とするものである。
【００１２】
この複数エアゾール容器からの混合噴射装置によれば、保持体のエアゾール容器が装着される部分のみを開閉できる構造とし、他の部分を一体構造とするようにしており、このような保持体によっても簡単にエアゾール容器の交換ができ、しかも強固にエアゾール容器を取付けることができるようになる。
【００１３】
さらに、この発明の請求項３記載の複数エアゾール容器からの混合噴射装置は、請求項１または２記載の構成に加え、前記噴射レバーを使用噴射位置と収納位置との間で回動可能に設けたことを特徴とするものである。
【００１４】
この複数エアゾール容器からの混合噴射装置によれば、噴射レバーを収納位置に回動することで収納スペースを小さくすることができるようになる。
【００１５】
また、この発明の請求項４記載の複数エアゾール容器からの混合噴射装置は、請求項３記載の構成に加え、前記使用噴射位置に回動された前記噴射レバーを噴射させない状態に固定する固定機構を設けたことを特徴とするものである。
【００１６】
この複数エアゾール容器からの混合噴射装置によれば、固定機構を設けて使用噴射位置で、噴射できる状態と固定した状態に変えることができるようにしており、これにより混合噴射された内容物を使用する場合にさらに噴射が起こることなどを防止できるようにしている。
【００１７】
さらに、この発明の請求項５記載の複数エアゾール容器からの混合噴射装置は、請求項１〜４のいずれかに記載の構成に加え、前記ステム嵌着部材に各ステムからの内容物を混合する混合部材を設けたことを特徴とするものである。
【００１８】
この複数エアゾール容器からの混合噴射装置によれば、ステム嵌着部材に混合部材を設けるようにしており、各エアゾール容器から噴射される内容物の混合が促進され、一層均一に混合した状態で噴射することができるようになる。
【００１９】
また、この発明の請求項６記載の複数エアゾール容器からの混合噴射装置は、請求項１〜５のいずれかに記載の構成に加え、前記噴射レバーに混合噴射されるエアゾール製品を使用する使用治具を装着してなることとを特徴とするものである。
【００２０】
この複数エアゾール容器からの混合噴射装置によれば、噴射レバーに使用治具を装着するようにしており、染毛剤用のブラシやウレタンフォーム用のノズル等を使用治具として装着することで噴射させたエアゾール製品をそのまま使用することができるようになる。
【００２１】
さらに、この発明の請求項７記載の複数エアゾール容器からの混合噴射装置は、請求項１〜６のいずれかに記載の構成に加え、前記エアゾール容器を内容物で腐蝕しない２重構造容器としたことを特徴とするものである。
【００２２】
この複数エアゾール容器からの混合噴射装置によれば、エアゾール容器の内容物で腐蝕しない２重構造容器としており、内容物の性状によらず広く使用できるようにしている。
【００２３】
また、この発明の請求項８記載の複数エアゾール容器からの混合噴射装置を備えたエアゾール製品は、請求項１〜７のいずれかに記載の構成に加え、前記エアゾール容器の内容物を２剤型永久染毛剤、２剤型塗料、２剤型接着剤、２剤型ウレタンフォーム剤のいずれかとしたことを特徴とするものである。
【００２４】
この複数エアゾール容器からの混合噴射装置を備えたエアゾール製品によれば、エアゾール容器の内容物を２剤型永久染毛剤、２剤型塗料、２剤型接着剤、２剤型ウレタンフォーム剤のいずれかとしても均一に混合噴射することができるとともに、エアゾール容器だけを簡単に交換して混合噴射装置を再使用することができるようになる。
【００２５】
【発明の実施の形態】
以下、この発明の複数エアゾール容器からの混合噴射装置の一実施の形態について、図面に基づき具体的に説明する。
【００２６】
図１〜図３は複数エアゾール容器からの混合噴射装置を２本のエアゾール容器から２剤の永久染毛剤を混合噴射する装置として構成した場合の一実施の形態にかかり、図１は櫛と一体にした使用噴射状態の中央断面図、側面図、Ｃ−Ｃ断面図、図２は固定機構の分解斜視図、図３は櫛と一体にした収納状態の正面図、側面図である。
【００２７】
この複数エアゾール容器からの混合噴射装置１０では、平面外形が略楕円形状で筒状に形成した合成樹脂製の保持体１１を備えており、この保持体１１に２本のエアゾール容器１２，１３のネック部１４あるいはマウンテンカップ部を両側から挾むように装着し、エアゾール容器１２，１３の装着と交換が容易にできるようにする。
【００２８】
このため保持体１１は、図４に抽出して示すように、中央で半割り状態とされ、一側部に合成樹脂で一体に成形されたヒンジ部１５が形成されて開閉可能に連結され、他側部には係止用突起１６と係止用レバー１７とが一体に形成してあり、係止用突起１６に係止用レバー１７を係止することで保持体１１を閉じて楕円筒状を保持できるようにしてある。
【００２９】
この保持体１１には、エアゾール容器１２，１３のネック部１４の外形に対応してこれらネック部１４を２つ並列に嵌合できるネック嵌合部１８が形成され、このネック嵌合部１８の下端縁にネック部１４の下端凹部に嵌まる突条１９が形成してある。
【００３０】
なお、マウンテンカップ部を備えたエアゾール容器の場合には、ネック部に替えマウンテンカップ部で固定するようにしても良く、この場合には、保持体１１にネック嵌合部１８に変えマウンテンカップ部の外形に対応したマウンテンカップ嵌合部を形成するようにすれば良い。
【００３１】
したがって、開いた状態の保持体１１の片方のネック嵌合部１８にエアゾール容器１２，１３のネック部１４を嵌合すると、ネック部１４の上面および側面がネック嵌合部１８の内面に当接するとともに、ネック部１４の下端凹部が突条１９に当接してエアゾール容器１２，１３の動きが規制され、保持体１１を閉じることで２本のエアゾール容器１２，１３を強固に並べて装着した状態にすることができる。
【００３２】
一方、保持体１１の係止用レバー１７を係止用突起１６から外して保持体１１の片方をヒンジ部１５から開いた状態にすると、それぞれのエアゾール容器１２，１３を簡単に取り外すことができる。
【００３３】
このような保持体１１に装着した２本のエアゾール容器１２，１３から２剤を混合噴射するため、合成樹脂で成形されたステム嵌着部材２０を予め２本のエアゾール容器１２，１３のステム２１に装着するようになっている。
【００３４】
このステム嵌着部材２０は保持体１１に装着された２本のエアゾール容器１２，１３のステム２１の間隔に対応して下部に突き出した２つの筒部にステム装着孔２２が形成されるとともに、上部中央に突き出した噴射部に混合噴射口２３が形成され、２つのステム装着孔２２と中央の混合噴射口２３とが通液路２４を介して連通するようになっている。
【００３５】
このステム嵌着部材２０では、中央の混合噴射口２３の下端に混合部材２５として突起軸２６が設けられるとともに、ステム装着孔２２から突起軸２６の周囲に連通する通液路２４が、図１（ｃ）に示すように、偏芯させて配置され、内容物に旋回力が作用して上昇するようにしてあり、２つの内容物の均一な混合が促進されるようにしてある。
【００３６】
なお、混合部材としては、突起軸と偏芯させた通液路とを組み合わせたものに限らず、軸の螺旋状の板を取付けて構成したり、軸の両側にそれぞれ逆向きの螺旋状の板を取付けて構成するなど混合を促進できるものであれば良い。
【００３７】
このようなステム嵌着部材２０の中央の混合噴射口２３が形成された噴射部を押すことにより２つのエアゾール容器１２，１３のステム２１を押して同時かつ均一に２つの内容物を混合噴射することが可能となる。
【００３８】
そこで、保持体１１の係止用突起および係止用レバーの上方に噴射レバー２７取付用の支持孔２８が形成され、噴射レバー２７の一端部両側の突出軸部２９が装着されて回動可能となっており、噴射レバー２７をステム嵌着部材２０側に位置させる使用噴射位置３０と保持体１１の外側に位置させる収納位置３１に回動させることができるようにしてある。
【００３９】
そして、この噴射レバー２７の使用噴射位置３０でのステム嵌着部材２０の中央の混合噴射口２３に対応する下部にバルブ押圧部３２が形成され、このバルブ押圧部３２を貫通して噴射液路３３が形成してあり、噴射液路３３の下端が円すい面に形成されて混合噴射口２３と密着させて連通させることができるようになっている。さらに、噴射レバー２７の上部には、バルブ押圧部３２と対称に使用治具装着部３４が形成され、ここでは、使用治具として永久染毛剤をぬるための櫛３５が装着され、使用治具装着部３４に連通する液通路を介して櫛歯部分に噴射されるようにしてある。
【００４０】
このような噴射レバー２７によれば、一端部を突出軸部２９で回動可能とし、中央部にバルブ押圧部３２を形成し、他端部で操作するようにしてあるので、小さな操作力でステム嵌着部材２０を押し下げることができ、２つのエアゾール容器１２，１３のステム２１を同時に操作する場合でも簡単に操作することができる。
【００４１】
このような噴射レバー２７に櫛３５を装着した状態で使用噴射位置３０に回動して噴射レバー２７を押しさげると、下部のバルブ押圧部３２がステム嵌着部材２０の混合噴射口２３に密着したのち、ステム嵌着部材２０を押し下げることになり、ステム嵌着部材２０に装着されている２本のエアゾール容器１２，１３のステム２１を押し下げ、内容物を噴射する。
【００４２】
噴射された内容物はそれぞれのステム２１から通液路２４を介して混合噴射口２３の下端の突起軸２６に衝突しながら旋回されて混合された状態で上昇し、混合噴射口２３、バルブ押圧部３２および使用治具装着部３４の噴射液路３３を介して櫛３５内に噴射される。
【００４３】
この後、エアゾール容器ごと櫛３５を用いて頭髪にぬることで手を汚さずに染毛することができる。
【００４４】
この櫛３５による染毛の際、噴射レバー２７を押すようなことがあると、さらにエアゾール容器１２，１３から内容物が噴射されるため、保持体１１に噴射レバー２７を使用噴射位置３０に位置させた状態で内容物を噴射させないように固定する固定機構４０が設けてある。
【００４５】
この固定機構４０は、図２に他の図面とは左右を反転して示すように、噴射レバー２７と一体のバルブ押圧部３２に固定用突起４１が形成されて使用噴射位置３０での操作側に突き出すようになっており、この固定用突起４１を上下に挾むコ字状部４２と上下方向の移動を拘束しない平坦部とを備えた固定片４３で挾むようにしたり、拘束しないようにでき、これにより、噴射レバー２７を固定状態にしたり、噴射状態にする。このため保持体１１の上部側面に噴射レバー２７と交差する両側から操作ロッド４４が往復移動可能に装着され、これら操作ロッド４４の間に固定片４３が支持されて固定機構４０が構成されており、いずれか一方側から操作ロッド４４を押し込むことで固定用突起４１を固定片４３のコ字状部４２で上下に挾むようにしたり、逆に他方側から操作ロッド４４を押し込むことで平坦部で拘束せずに噴射レバー２７を押し下げることができる状態にする。
【００４６】
したがって、この固定機構４０で噴射レバー２７を固定状態にすれば、使用噴射位置３０であっても噴射レバー２７を押し込んで噴射させる操作ができなくなり、既に噴射させた染毛剤だけを使用して櫛３５による染毛だけを行うことができ、誤って内容物を噴射させることを防止することができる。
【００４７】
このように構成した複数エアゾール容器からの混合噴射装置１０では、次のようにしてエアゾール容器１２，１３のセットと交換が行われる。
【００４８】
まず、エアゾール容器１２，１３をセットする場合には、図５に示すように、例えば２本のエアゾール容器１２，１３を並べた状態にし、ステム嵌着部材２０のステム装着孔２２にそれぞれのエアゾール容器１２，１３のステム２１を差し込んで内容物が洩れでないようにしておく。
【００４９】
次に、保持体１１を開いた状態にしてステム嵌着部材２０で連結された状態の２本のエアゾール容器１２，１３のネック部１４をネック嵌合部１８に嵌合するように装着する。
【００５０】
この後、保持体１１を閉じるようにしてエアゾール容器１２，１３のネック部１４を両側から挾むようにして押え、係止用突起１６に係止用レバー１７を係止して保持体１１を閉じた状態にする。
【００５１】
こうしてエアゾール容器１２，１３の装着が完了した後、内容物を噴射させて使用する場合には、噴射レバー２７を収納位置３１から使用噴射位置３０に回動し、バルブ押圧部３２をステム嵌着部材２０の混合噴射口２３に密着できる位置にする。
【００５２】
そして、噴射レバー２７を下に押し付けるようにすれば、ステム嵌着部材２０を介して２本のエアゾール容器１２，１３のステム２１が同時に押され、内容物が噴射されて混合した状態で混合噴射口２３を経て櫛３５内に噴射される。
【００５３】
この混合噴射された内容物を使用する場合に、さらなる噴射を必要としない場合には、保持体１１の突き出ている方の操作ロッド４４を押し込んで固定機構４０で噴射レバー２７を固定状態にして使用する。
【００５４】
なお、ウレタンフォームを発泡充填する場合などで連続して噴射させる必要がある場合には、固定機構４０による固定を行わずに使用すれば良い。
【００５５】
一方、エアゾール容器１２，１３の内容物がなくなった場合には、エアゾール容器１２，１３の装着とは逆に、保持体１１の係止用レバー１７で係止状態を解き、保持体１１を開いた状態にしてネック嵌合部１８からそれぞれのエアゾール容器１２，１３をステム嵌着部材２０ごと取り外し、新たなエアゾール容器に取り外したもの、あるいは新たなステム嵌着部材２０を取付けたのち２本のエアゾール容器１２，１３ごと装着し、ふたたび保持体１１を閉じるようにすれば、簡単にエアゾール容器１２，１３を交換することができる。
【００５６】
したがって、一体式の保持体に比べ、簡単にエアゾール容器の交換ができ、再使用することが容易となる。
【００５７】
また、エアゾール容器全体を収納する保持体を用いる場合に比べ、構造も簡単であり製造コストの低減を図ることができる。
【００５８】
次に、この発明の複数エアゾール容器からの混合噴射装置の他の一実施の形態について図６により説明する。
【００５９】
この複数エアゾール容器からの混合噴射装置５０は、例えば２剤型ウレタンフォームを発泡させて使用する場合に用いるものであり、使用治具としてＬ字状ノズル５１が使用治具装着部３４に装着されるようになっている。
【００６０】
なお、他の構成は、既に説明した混合噴射装置１０と同一であるので、同一部分に同一番号を記し説明を省略する。
【００６１】
このようなＬ字状ノズル５１を使用治具として装着しておくことで、ウレタンフォームなどの発泡充填を簡単に行うことができるとともに、エアゾール容器１２，１３の交換を簡単に行うことができることなどは既に説明した混合噴射装置１０と同様である。
【００６２】
さらに、この発明の複数エアゾール容器からの混合噴射装置のさらに他の一実施の形態について図７により説明する。
【００６３】
この複数エアゾール容器からの混合噴射装置６０は、保持体６１の全体を開閉可能な構造とせずに、上部を一体構造にする一方、エアゾール容器を装着する部分のみを開閉可能な構造としてあり、他の構成は、既に説明した混合噴射装置１０と同一であるので、同一部分に同一番号を記し説明を省略する。
【００６４】
この保持体６１の上下の一体部分と開閉部分の分割位置は２本のエアゾール容器をネック嵌合部１８に装着したり、取り外すことができる位置であれば良く、一体部分を設けることで、保持体６１の剛性を上げることができる。
【００６５】
また、保持体６１の一体部分に噴射レバー２７を取付けるが、例えば合成樹脂製の噴射レバー２７の弾性を利用して取付けるようにすれば良い。
【００６６】
このような一体部分と開閉部分で構成した保持体６１を備えた混合噴射装置６０でも、エアゾール容器１２，１３の交換を簡単に行うことができることなどは既に説明した混合噴射装置１０と同様である。
【００６７】
次に、これまでに説明した複数エアゾール容器からの混合噴射装置１０，５０，６０を用いたエアゾール製品について説明する。
【００６８】
既に説明した混合噴射装置１０，５０，６０のエアゾール容器に充填される内容物としては、予め混合して置くことができない２剤型の内容物であり、２剤型永久染毛剤、２剤型塗料、２剤型接着剤、２剤型ウレタンフォーム剤などをそれぞれのエアゾール容器に充填してエアゾール製品とする。
【００６９】
そして、内容物によっては金属製のエアゾール容器に直接充填すると、エアゾール容器自体を腐蝕するなどの恐れがある場合があり、かかる場合には、樹脂バックなどで二重構造とされたエアゾール容器が用いられる。特に腐蝕性の強い内容物の場合には、エアゾール容器のバルブが取付けられるマウンテンカップ部分にも合成樹脂カバーを取付けて直接内容物が金属と接触しないようにしたエアゾール容器を使用するようにする。
【００７０】
このような２剤型の内容物を充填したエアゾール製品では、混合噴射装置の操作レバーを操作することで簡単に混合噴射することができるとともに、エアゾール容器の交換も簡単に行うことができる。
【００７１】
【実施例】
次にこの発明のエアゾール製品の一例として２剤型永久染毛剤の場合について各内容物の成分を表１に示す。
【００７２】
【表１】
0003797727.tif 000002
【００７３】
【発明の効果】
以上実施の形態とともに具体的に説明したように、この発明の請求項１記載の複数エアゾール容器からの混合噴射装置によれば、エアゾール容器のネック部またはマウンテンカップ部が装着される保持体をエアゾール容器を両側から挾むよう開閉できる構造としたので、簡単にエアゾール容器の交換ができ、しかも強固にエアゾール容器を取付けることができる。
【００７４】
さらに、回動可能な噴射レバーに一体にバルブ押圧部を形成するようにしたので、小さな操作力で噴射レバーの操作ができ、各エアゾール容器から同時かつ均一に噴射して混合することができる。
【００７５】
また、この発明の請求項２記載の複数エアゾール容器からの混合噴射装置によれば、保持体のエアゾール容器が装着される部分のみを開閉できる構造とし、他の部分を一体構造とするようにしたので、このような保持体によっても簡単にエアゾール容器の交換ができ、しかも強固にエアゾール容器を取付けることができるとともに、一体部分によって剛性向上を図ることができる。
【００７６】
さらに、この発明の請求項３記載の複数エアゾール容器からの混合噴射装置によれば、噴射レバーを収納位置に回動することができ、特に噴射レバーに櫛などの使用治具を取付ける場合には、収納高さなどを低くすることができる。
【００７７】
また、この発明の請求項４記載の複数エアゾール容器からの混合噴射装置によれば、固定機構を設けて使用噴射位置で、噴射できる状態と固定した状態に変えることができるようにしたので、これにより混合噴射された内容物を使用する場合にさらに噴射が起こることなどを防止できる。
【００７８】
さらに、この発明の請求項５記載の複数エアゾール容器からの混合噴射装置によれば、ステム嵌着部材に混合部材を設けるようにしたので、各エアゾール容器から噴射される内容物の混合が促進され、一層均一に混合した状態で噴射することができる。
【００７９】
また、この発明の請求項６記載の複数エアゾール容器からの混合噴射装置によれば、噴射レバーに使用治具を装着するようにしたので、染毛剤用のブラシやウレタンフォーム用のノズル等を使用治具として装着することで噴射させたエアゾール製品をそのまま使用することができる。
【００８０】
さらに、この発明の請求項７記載の複数エアゾール容器からの混合噴射装置によれば、エアゾール容器の内容物で腐蝕しない２重構造容器としたので、内容物の性状によらず広く使用することができる。
【００８１】
また、この発明の請求項８記載の複数エアゾール容器からの混合噴射装置を備えたエアゾール製品によれば、エアゾール容器の内容物を２剤型永久染毛剤、２剤型塗料、２剤型接着剤、２剤型ウレタンフォーム剤のいずれかとしても均一に混合噴射することができるとともに、エアゾール容器だけを簡単に交換して混合噴射装置を再使用することができる。
【図面の簡単な説明】
【図１】この発明の複数エアゾール容器からの混合噴射装置を２本のエアゾール容器から２剤の永久染毛剤を混合噴射する装置として構成した場合の一実施の形態にかかる櫛と一体にした使用噴射状態の中央断面図、側面図、Ｃ−Ｃ断面図である。
【図２】この発明の複数エアゾール容器からの混合噴射装置を２本のエアゾール容器から２剤の永久染毛剤を混合噴射する装置として構成した場合の一実施の形態にかかる固定機構の分解斜視図、である。
【図３】この発明の複数エアゾール容器からの混合噴射装置を２本のエアゾール容器から２剤の永久染毛剤を混合噴射する装置として構成した場合の一実施の形態にかかる櫛と一体にした収納状態の正面図、側面図である。
【図４】この発明の複数エアゾール容器からの混合噴射装置を２本のエアゾール容器から混合噴射装置として構成した場合の一実施の形態にかかる保持体の正面図、平面図、底面図である。
【図５】この発明の複数エアゾール容器からの混合噴射装置を２本のエアゾール容器から２剤の永久染毛剤を混合噴射する装置として構成した場合の一実施の形態にかかるエアゾール容器の着脱工程の説明図である。
【図６】この発明の複数エアゾール容器からの混合噴射装置を２本のエアゾール容器から２剤のウレタンフォーム薬剤を混合噴射する装置として構成した場合の一実施の形態にかかるノズルと一体にした使用噴射状態の正面図および側面図である。
【図７】この発明の複数エアゾール容器からの混合噴射装置を２本のエアゾール容器から混合噴射装置として構成した場合の他の一実施の形態にかかる保持体の正面図、平面図、底面図である。
【符号の説明】
１０，５０，６０  複数エアゾール容器からの混合噴射装置
１１，６１  保持体
１２，１３  エアゾール容器
１４  ネック部
１５  ヒンジ部
１６  係止用突起
１７  係止用レバー
１８  ネック嵌合部
２０  ステム嵌着部
２１  ステム
２３  混合噴射口
２４  通液路
２７  噴射レバー
３２  バルブ押圧部
３４  使用治具装着部
３５  櫛
４０  固定機構
４１  固定用突起
４３  固定片
４４  操作ロッド
５１  Ｌ字状ノズル
【図１】
0003797727.tif 000003
【図２】
0003797727.tif 000004
【図３】
0003797727.tif 000005
【図４】
0003797727.tif 000006
【図５】
0003797727.tif 000007
【図６】
0003797727.tif 000008
【図７】
0003797727.tif 000009